(57)【要約】【課題】センター基体の中心上部に分散フィーダを設置するとともに、センター基体の上部に分散フィーダを取り囲んで直進フィーダを配置し、センター基体の周囲に、直進フィーダによって搬送された被計量物を一旦貯留する供給ホッパ、この供給ホッパから排出された被計量物を受け入れてその重量を計測する計量ホッパとを配置した組合せ秤において、センター基体の上にこぼれ落ちた物品を簡単容易に除去できるようにする。【解決手段】分散フィーダ５における加振機構１３のトップコーン連結部１３ａ、及び、直進フィーダ６における加振機構１７のトラフ連結部１７ａが挿通する開口２５，２６を有し、かつ、前記センター基体１の上面に脱着可能に載置される物品受けカバー２４を備える。【選択図】図３
2014235141.tif 000002
【特許請求の範囲】
【請求項１】
センター基体の中心上部に分散フィーダを設置するとともに、センター基体の上部に分散フィーダを取り囲んで直進フィーダを配置し、センター基体の周囲に、直進フィーダによって搬送された物品を一旦貯留する供給ホッパ、この供給ホッパから排出された物品を受け入れてその重量を計測する計量ホッパとを配置した組合せ秤であって、
分散フィーダにおける加振機構のトップコーン連結部及び直進フィーダにおける加振機構のトラフ連結部が挿通する開口を有し、かつ、前記センター基体の上面に脱着可能に載置される物品受けカバーを備える、
ことを特徴とする組合せ秤。
【請求項２】
前記センター基体の上面は、分散フィーダにおける加振機構のトップコーン連結部及び直進フィーダにおける加振機構のトラフ連結部を、シール部材を介して水密状態で露出させる防水カバーで構成され、
前記物品受けカバーは、前記防水カバーの上面に脱着可能に載置される、
請求項１に記載の組合せ秤。
【請求項３】
前記物品受けカバーは、その周縁部および前記開口の周縁部に壁部を有する、
請求項１または２に記載の組合せ秤。
【請求項４】
前記物品受けカバーは、その周縁部に沿って複数に分割された分割カバー体から構成され、
前記分割カバー体の各々は、前記センター基体の上面に脱着可能に載置される、
請求項１ないし３のいずれかに記載の組合せ秤。
【請求項５】
前記物品受けカバーは、取っ手を有する、
請求項１ないし３のいずれかに記載の組合せ秤。
【請求項６】
前記分割カバー体は、取っ手を有する、
請求項４に記載の組合せ秤。
【請求項７】
前記センター基体に対する前記物品受けカバーの離脱を規制する規制部材を備え、
前記規制部材を第１係合部と前記第１係合部と係合する第２係合部とにより構成し、
前記第１係合部を前記物品受けカバーおよび前記センター基体のいずれか一方側に設け、
前記第２係合部を前記物品受けカバーおよび前記センター基体のいずれか他方側に設けた、
請求項１ないし６のいずれかに記載の組合せ秤。
【発明の詳細な説明】
【技術分野】
【０００１】
本発明は、組合せ秤に関し、更に詳しくは、被計量物である物品を振動によって搬送する振動フィーダ及び該振動フィーダからこぼれ落ちる物品を受ける物品受けカバーを備える組合せ秤に関する。
【背景技術】
【０００２】
組合せ秤においては、例えば、特許文献１に示すように、中心上方から供給された被計量物である物品が、振動駆動される分散フィーダによって放射状に分散搬送され、分散フィーダの周囲に配置した複数の直進フィーダに移載され、直進フィーダによって更に外方に振動搬送される。複数の直進フィーダの搬送終端の下方には、複数の供給ホッパが配置されており、各供給ホッパの下方には、それぞれ計量ホッパが配置されている。
【０００３】
各直進フィーダによって搬送された物品は、対応する各供給ホッパにそれぞれ投入され、その後、供給ホッパから対応する計量ホッパに供給され、各計量ホッパに供給された物品の重量が測定され、各計量ホッパに供給された物品の重量値を種々に組合せ、組合せた合計重量値が、所定重量範囲であって、目標組合せ重量値に最も近い組合せとなる計量ホッパを選択し、選択した計量ホッパから物品を排出し、排出された物品が、集合シュートを滑落して集合シュートの下部に設けられた排出口から排出される。
【０００４】
本出願の発明の物品受けカバーを取り付ける組合せ秤の本体部の上面部のセンター基体には、例えば、特許文献２に示すように、分散フィーダの加振器、直進フィーダの加振器が取付けられている基板を被う防塵防水用全面包被カバーがある。該防塵防水用全面包被カバーは、防塵防水の役目を果たすと共に、分散フィーダから直進フィーダ側に搬送される物品のうち、トレイに投入されずにこぼれ落ちた物品が加振器及び基板等にかからないようにする役目も果たしている。
【先行技術文献】
【特許文献】
【０００５】
【特許文献１】特開２０１０−９６６５１号公報
【特許文献２】実用新案登録第２５４７７６９号公報
【発明の概要】
【発明が解決しようとする課題】
【０００６】
上記構成の組合せ秤において、被計量物である物品が、例えば、細かいものや砕けやすいものであると、分散フィーダから直進フィーダへ振動移送される物品の一部がこぼれ落ち、分散フィーダ及び直進フィーダを支持しているセンター基体上、すなわち、特許文献２においては、防塵防水用全面包被カバー上に残渣として堆積することがある。
【０００７】
組合せ秤で食品の計量を行う場合、衛生上の観点から頻繁に清掃が行われることが多く、その際、センター基体の上にこぼれ落ちた残渣も除去されることになるのであるが、センター基体の上面中心には、分散フィーダにおけるトップコーンと加振機構との連結部が露出設置されているとともに、その周囲には、多数の直進フィーダにおけるトラフと加振機構との連結部が露出設置されており、これら連結部群の周囲に堆積している残渣の清掃には手間と時間がかかるものとなっていた。
【０００８】
また、大型の組合せ秤においては、センター基体の直径も大きくなり、センター基体の中心付近にまで手が届きにくいものとなり、中心付近に溜まった残渣の除去作業が一層行いにくいものとなっていた。
【０００９】
本発明は、このような実情に着目してなされたものであって、センター基体の上にこぼれ落ちて堆積した残渣を容易に清掃除去できるようにすることを目的とする。
【課題を解決するための手段】
【００１０】
上記目的を達成するために、本発明では、次のように構成している。
【００１１】
（１）本発明は、センター基体の中心上部に分散フィーダを設置するとともに、センター基体の上部に分散フィーダを取り囲んで直進フィーダを配置し、センター基体の周囲に、直進フィーダによって搬送された物品を一旦貯留する供給ホッパ、この供給ホッパから排出された物品を受け入れてその重量を計測する計量ホッパとを配置した組合せ秤であって、
分散フィーダにおける加振機構のトップコーン連結部及び直進フィーダにおける加振機構のトラフ連結部が挿通する開口を有し、かつ、前記センター基体の上面に脱着可能に載置される物品受けカバーを備える。
【００１２】
本発明によると、センター基体の上面に、物品受けカバーを載置しておき、清掃作業の際には、分散フィーダのトップコーン、直進フィーダのトラフ、供給ホッパ、および、計量ホッパをセンター基体から取り外し、センター基体の上面に載置した物品受けカバーを取り外すことで、センター基体の上にこぼれ落ちた物品残渣の多くを取り除くことができ、清掃作業を簡単かつ速やかに行うことができる。
【００１３】
また、センター基体が大径の大型機においては、センター基体の中心付近にまで手が届かなくても、中心付近に堆積した残渣を物品受けカバーに受けたままで容易に除去することができる。
【００１４】
（２）本発明の好ましい実施態様では、前記センター基体の上面は、分散フィーダにおける加振機構のトップコーン連結部及び直進フィーダにおける加振機構のトラフ連結部を、シール部材を介して水密状態で露出させる防水カバーで構成され、前記物品受けカバーは、前記防水カバーの上面に脱着可能に載置される。
【００１５】
この実施態様によると、センター基体の防水カバーを装着したままで物品受けカバーだけを脱着するので、物品受けカバーを取り外しての清掃作業中においても、分散フィーダにおける加振機構のトップコーン連結部、及び、直進フィーダにおける加振機構のトラフ連結部を常に適切な水密状態に維持しておくことができ、清掃作業中に各加振機構の主要部に物品のクズや洗浄水が入り込むことがない。
【００１６】
（３）本発明の他の実施態様では、前記物品受けカバーは、その周縁部および前記開口の周縁部に壁部を有する。
【００１７】
この実施態様によると、周縁部に設けられた壁部によって、物品受けカバーの上に溜まった物品残渣を落とすことなく物品受けカバーをセンター基体から取り外すことが容易となり、物品受けカバーの上の物品残渣を周囲に落として汚すことがなく、清掃作業の時間短縮に有効となる。
【００１８】
（４）本発明の更に他の実施態様では、前記物品受けカバーは、その周縁部に沿って複数に分割された分割カバー体から構成され、前記分割カバー体の各々は、前記センター基体の上面に脱着可能に載置される。
【００１９】
この実施態様によると、大型の組合せ秤においては、センター基体の径に応じて物品受けカバーも径の大きい大型のものになるが、取り扱いやすい大きさの分割カバー体に分割することで、物品受けカバーの脱着操作を容易なものにすることができる。
【００２０】
（５）本発明の他の実施態様では、前記物品受けカバーは、取っ手を有する。
【００２１】
この実施態様によると、物品受けカバーをセンター基体から持上げて取り外す操作が一層容易なものとなる。
【００２２】
(６) 本発明の更に他の実施態様では、前記分割カバー体は、取っ手を有する。
【００２３】
この実施態様によると、分割カバー体をセンター基体から持上げて取り外す操作が一層容易なものとなる。
【００２４】
(７) 本発明の他の実施態様では、前記センター基体に対する前記物品受けカバーの離脱を規制する規制部材を備え、
前記規制部材を第１係合部と前記第１係合部と係合する第２係合部とにより構成し、
前記第１係合部を前記物品受けカバーおよび前記センター基体のいずれか一方側に設け、
前記第２係合部を前記物品受けカバーおよび前記センター基体のいずれか他方側に設ける。
【００２５】
この実施態様によると、分散フィーダや直進フィーダの駆動振動が物品受けカバーに伝達する場合においても、規制部材によってセンター基体上に物品受けカバーを安定に保持することができる。
【発明の効果】
【００２６】
このように、本発明によれば、センター基体の上にこぼれ落ちて堆積した残渣を容易に清掃除去できるとともに、センター基体の径が大きい大型機においても、センター基体の中心付近に堆積した残渣を容易に除去することができる。
【図面の簡単な説明】
【００２７】
【図１】本発明の一実施形態に係る組合せ秤の一部を縦断した正面図である。
【図２】図１の直進フィーダのトラフの一個を残して取外した状態の要部の斜視図である。
【図３】直進フィーダのトラフ及び分散フィーダのトップコーンの取付けを説明するための縦断正面図である。
【図４】物品受けカバーの取付け状態を示す分解斜視図である。
【図５】本発明の他の実施形態の物品受けカバーを装着した要部の縦断正面図である。
【図６】本発明の更に他の実施形態の物品受けカバーを示す斜視図である。
【図７】本発明の他の実施形態の物品受けカバーを装着した要部の斜視図である。
【発明を実施するための形態】
【００２８】
以下、本発明の実施形態を図面に基づいて説明する。
【００２９】
図１に、本発明の一実施形態に係る組合せ秤１００の一部を縦断した正面図が、また、図２には、その要部の縦断正面図がそれぞれ示されている。
【００３０】
この組合せ秤１００は、例えば菓子類などの被計量物である物品を所定量ずつ計量するものであって、作業者が上り下り可能な櫓状に組み上げ立設されたフレームの階上部Ｆに設置されるとともに、計量された物品を階下に設置した包装機に投入して袋詰めする包装ラインに利用される。
【００３１】
組合せ秤１００の中央には、多角柱形のセンター基体１が、中央部が大きく上下に貫通開口された中空構造の基台２に、複数本の脚３を介して支持され、このセンター基体１の上部に、供給装置４の終端から落下供給される被計量物である物品を振動によって放射状に分散させる分散フィーダ５が装備されている。また、分散フィーダ５の周囲には、分散移送された物品を振動によって外方に向けて直進搬送する多数の直進フィーダ６が放射状に設けられ、さらに、各直進フィーダ６の終端下方には、供給ホッパ７、および、計量ホッパ８がそれぞれ対応して設けられ、これら直進フィーダ６、供給ホッパ７、および、計量ホッパ８を一連とする多数連（８連〜２４連）の計量モジュールがセンター基体１の周囲に円状に配備されている。
【００３２】
円状に配列された各計量ホッパ８の下方には、所定の重量となるように組合せ選択された複数の計量ホッパ８から排出された物品を集めるための集合シュート９が配備されるとともに、集合シュート９の下方には、集合シュート９から滑落した物品を集める漏斗状の集合ファネル１０が固定配備され、さらにその下方に、集合ファネル１０に沿って案内されてきた物品を一旦受け止め貯留した後、包装機側からの排出要求指令に基づいて開放作動する集合ホッパ１１が配置されている。
【００３３】
分散フィーダ５は、円錐形のトップコーン１２とこれを振動駆動する電磁式の加振機構１３とを備えており、加振機構１３が、センター基体１の上方内部に配備された支持フレーム１４の中央に搭載支持されている。そして、図３に示すように、トップコーン１２の下方に備えたバックル式の操作レバー１５を上下に揺動操作することで、加振機構１３の上端に備えたトップコーン連結部１３ａにトップコーン１２を脱着することができるようになっている。
【００３４】
直進フィーダ６は、内外方向に向かう樋形のトラフ（フィーダパン）１６とこれを振動駆動する電磁式の加振機構１７とを備えており、加振機構１７が、前記支持フレーム１４に、分散フィーダ５の加振機構１３を取り囲むように搭載支持されている。そして、トラフ１６の下方に備えたバックル式の操作レバー１８を上下に揺動操作することで、加振機構１７の上端に備えたトラフ連結部１７ａにトラフ１６を脱着することができるようになっている。
【００３５】
なお、図示されていないが、供給ホッパ７及び計量ホッパ８のゲート開閉装置、等の駆動ユニットがセンター基体１内に収納されるとともに、各計量ホッパ８には、計量ホッパ８内の被計量物の重量を計測するロードセルなどの重量センサが備えられ、この重量センサもセンター基体１内に上記駆動ユニットと共に収納されている。
【００３６】
センター基体１の上端は、図４の分解斜視図に示すように、防水カバーとしてのフィーダカバー２１によって覆われ、分散フィーダ５における加振機構１３のトップコーン連結部１３ａ、及び、直進フィーダ６における加振機構１７のトラフ連結部１７ａが、フィーダカバー２１を貫通して露出配備されている。フィーダカバー２１におけるトップコーン連結部１３ａの貫通部位、及び、トラフ連結部１７ａの貫通部位には、水密状態とするために、それぞれベローズあるいはダイヤフラムなどの変位吸収量の大きいシール部材２２，２３が装着され、トップコーン連結部１３ａ、及び、トラフ連結部１７ａの振動変位を許容しながらセンター基体１の内部への異物や洗浄水の浸入が防止されている。
【００３７】
このようにフィーダカバー２１は、シール部材２２，２３を介してトップコーン連結部１３ａ、及び、トラフ連結部１７ａが水密状態となるように設けられているので、容易に脱着することができない。
【００３８】
この実施形態の組合せ秤１００は、フィーダカバー２１上に載置されて、分散フィーダ５から直進フィーダ６へ振動搬送される際にもれ落ちる物品の一部を受け止める物品受けカバー２４を備える。この物品受けカバー２４は、フィーダカバー２１上に載置されているだけであるので、容易に脱着可能である。この実施形態の物品受けカバー２４は、ステンレス鋼等の金属薄板材で平板状に形成されるとともに、フィーダカバー２１から突出したトップコーン連結部１３ａを挿通する大径の開口２５と、多数のトラフ連結部１７ａを挿通する小径の開口２６が形成されている。
【００３９】
（実施形態の効果）
本実施形態の物品受けカバー２４は、以下の効果を奏する。
【００４０】
（１）物品受けカバー２４は、分散フィーダ５における加振機構のトップコーン連結部１３ａ及び直進フィーダ６における加振機構のトラフ連結部１７ａが挿通する開口２５、２６を有し、かつ、前記センター基体１の上面に脱着可能に載置される。
【００４１】
このため、センター基体１の上面に、物品受けカバー２４を載置しておき、清掃作業の際には、分散フィーダ５のトップコーン１２、直進フィーダ６のトラフ１６、供給ホッパ７、および、計量ホッパ８をセンター基体１から取り外し、センター基体１の上面に装着した物品受けカバー２４を取り外すことで、センター基体１の上にこぼれ落ちた物品残渣の多くを取り除くことができ、清掃作業を簡単かつ速やかに行うことができる。
【００４２】
また、センター基体１が大径の大型機においては、センター基体１の中心付近にまで手が届かなくても、中心付近に堆積した残渣を物品受けカバー２４に受けたままで容易に除去することができる。
【００４３】
（２）センター基体１の上面は、分散フィーダ５における加振機構のトップコーン連結部１３ａ及び直進フィーダ６における加振機構のトラフ連結部１７ａを、シール部材２２を介して水密状態で露出させるフィーダカバー２１（防水カバー）で構成され、物品受けカバー２４が、フィーダカバー２１上に載置される。
【００４４】
このため、センター基体１のフィーダカバー２１を装着したままで物品受けカバー２４だけを脱着するので、物品受けカバー２４を取り外しての清掃作業中においても、分散フィーダ５における加振機構のトップコーン連結部１３ａ、及び、直進フィーダ６における加振機構のトラフ連結部１７ａを常に適切な水密状態に維持しておくことができ、清掃作業中に各加振機構の主要部に被計量物のクズや洗浄水が入り込むことがない。
【００４５】
（その他の実施形態）
本発明は、上記実施形態以外の実施形態を含む。以下、本発明のその他の実施形態としての上記実施形態の変形例を示す。なお、以下の各変形例は、互いに組み合わせることもできる。
【００４６】
（１）上記実施形態（図４）の物品受けカバー２４において、図７に示されるように、物品受けカバー２４の周縁部と、該カバー２４に形成された開口２５，２６の周縁部とに、それぞれこぼれ落ち防止用の壁部２４ｂを有してもよい。これにより、物品受けカバー２４の上に溜まった物品残渣を落とすことなく物品受けカバー２４をセンター基体１から取り外すことが容易となり、物品受けカバー２４の上の物品残渣を周囲に落として汚すことがなく、清掃作業の時間短縮に有効となる。
【００４７】
（２）上記実施形態（図４）の物品受けカバー２４において、図７に示されるように、物品受けカバー２４を、その周縁部に沿って周方向に複数、例えば、２つに分割した分割カバー体２４１，２４２で構成し、各分割カバー体２４１，２４２をそれぞれセンター基体１に対して脱着可能に装着してもよい。これにより、大型の組合せ秤においては、センター基体１の径に応じて物品受けカバー２４も径の大きい大型のものになるが、取り扱いやすい大きさの分割カバー体２４１，２４２に分割することで、物品受けカバー２４の脱着操作を容易なものにすることができる。
【００４８】
（３）上記実施形態（図４）の物品受けカバー２４において、図６に示されるように、取っ手２７が設けられてもよい。これにより、物品受けカバー２４をセンター基体１から持上げて取り外す操作が一層容易なものとなる。
【００４９】
（４）上記実施形態（図４）の物品受けカバー２４において、図５に示されるように、物品受けカバー２４の外周に、フィーダカバー２１の外周に嵌合する折返し２４ａを形成してもよい。これにより、開口２５とトップコーン連結部１３ａ、および、開口２６とトラフ連結部１７ａとの間に融通を残した状態で物品受けカバー２４を位置決め保持しておくことができる。
【００５０】
（５）上記実施形態（図４）の物品受けカバー２４は、センター基体１の上に載置されているだけであるが、物品受けカバー２４を規制する規制部材としてのバックル金具などでセンター基体１にしっかり固定してもよい。
【００５１】
例えば、センター基体１側にバックル金具を、物品受けカバー２４側に前記バックル金具が係合するフック部を設け、センター基体１上に載置した物品受けカバー２４のフック部に、センター基体１側のバックル金具を係合させて、物品受けカバー２４のセンター基体１からの離脱を規制するようにしてもよい。
【００５２】
この場合、第１，第２係合部としてのバックル金具及びフック部によって、物品受けカバー２４のセンター基体１からの離脱を規制する規制部材が構成され、第１係合部としてのバックル金具を、センター基体１及び物品受けカバー２４のいずれか一方側に、第２係合部としてのフック部を、センター基体１及び物品受けカバー２４のいずれか他方側に設ければよい。
【００５３】
これにより、分散フィーダ５や直進フィーダ６の駆動振動が物品受けカバー２４に伝達する場合においても、センター基体１のフィーダカバー２１上に物品受けカバー２４を安定に保持することができる。
【００５４】
（６）上記実施形態（図４）の物品受けカバー２４は、ステンレス鋼等の金属薄板材で形成されているため、洗浄して繰り返し使用することができるが、紙材等で物品受けカバー２４を安価に製作して使い捨てするようにしてもよい。
【符号の説明】
【００５５】
１                センター基体
５                分散フィーダ
６                直進フィーダ
７                供給ホッパ
８                計量ホッパ
１２              トップコーン
１３              加振機構
１３ａ            トップコーン連結部
１６              トラフ
１７              加振機構
１７ａ            トラフ連結部
２１              フィーダカバー（防水カバー）
２２              シール部材
２３              シール部材
２４              物品受けカバー
２４１，２４２    分割カバー体
２４ｂ            壁部
２５              開口
２６              開口
２７              取っ手
【図１】
2014235141.tif 000003
【図２】
2014235141.tif 000004
【図３】
2014235141.tif 000005
【図４】
2014235141.tif 000006
【図５】
2014235141.tif 000007
【図６】
2014235141.tif 000008
【図７】
2014235141.tif 000009